(57)【要約】【課題】個装箱構造に於いて、底面と、主製品との緩衝空間を確保する為の底部緩衝部材の支持面４辺から底面方向に垂直で突出する形状に於いて、前記突出する形状の先端との間で引っ掛かる事により、落下の際に衝撃吸収の為の変形が行われなかったことが考えられる。これに対し底部緩衝部材の支持面を支えている足板部まで及ぶ衝撃が加わった際の足板部の変形し易くすることを可能にした底部緩衝部材を提供することである。【解決手段】梱包構造に於いて、梱包構造体の内部に緩衝部材を有し、前記緩衝部材は梱包構造体の内部底面と主製品との間に緩衝空間を確保する為の保持部材であって、前記保持部材の支持面４辺から底面方向に突出する足形状の先端に於いて、前記足形状先端部から梱包構造体の内部底面と保持部材の支持面との間の緩衝空間に突出する面を形成することを特徴とする。【選択図】図３
2020045156.tif 000002
【特許請求の範囲】
【請求項１】
梱包構造に於いて、梱包構造体の内部に緩衝部材を有し、前記緩衝部材は梱包構造体の内部底面と主製品との間に緩衝空間を確保する為の保持部材であって、前記保持部材の支持面４辺から底面方向に突出する足形状の先端に於いて、前記足形状先端部から梱包構造体の内部底面と保持部材の支持面との間の緩衝空間に突出する面を形成することを特徴とする梱包構造。
【請求項２】
前記構成で、梱包構造体に於いて個装箱の底面構造はワンタッチ式底貼り箱であることを特徴とする請求項１に記載の梱包構造。
【請求項３】
前記構成で、底面構造はワンタッチ式底貼り箱の梱包構造体の内部底面において、保持部材の支持面４辺から底面方向に突出する足形状に於いて、前記足形状の対峙する２面の足形状先端から梱包構造体の内部底面と保持部材の支持面との間の緩衝空間に突出する面を形成することを特徴とする請求項１又は２に記載の梱包構造。
【発明の詳細な説明】
【技術分野】
【０００１】
本発明は、個装箱の緩衝機能に関し、特に落下衝撃に対し適切な緩衝作用が確保出来る事に関する。
【背景技術】
【０００２】
従来、製品を梱包する個装箱に於いて製品底面部を支える緩衝部材の支持部材から少なくとも各コーナー部分において、そのコーナー部分を切り落として形成される斜辺が足板部にて支えられない事により、また斜めスリットによって当該支持板部が切られたようになることにより、支持板部の当該コーナー部分がより撓み易くなるので、コーナー部分においても、有効な緩衝作用を得ることが可能であった（特許文献１）。
【先行技術文献】
【特許文献】
【０００３】
【特許文献１】特許第５６５７２１３号公報
【発明の概要】
【発明が解決しようとする課題】
【０００４】
しかしながら、上述の特許文献１に開示された従来技術では、底部緩衝部材の支持板のコーナー部を切り落とす、又はスリットを設けることで衝撃を受けた個装箱の該当箇所を撓み易くしているが、更に変形した場合に底部緩衝部材の支持板を支えている足板部を撓ませる必要がある。その際に足板部が個装箱の底部フラップの凹凸に引っ掛かり衝撃吸収を阻害しよくない影響を及ぼす事がある。
【０００５】
そこで、本発明の目的は、底部緩衝部材の支持板を支えている足板部まで及ぶ衝撃が加わった際の足板部の変形し易くすることを可能にした底部緩衝部材を提供することにある。
【課題を解決するための手段】
【０００６】
上記の目的を達成するために、本発明は、梱包構造に於いて、梱包構造体の内部に緩衝部材を有し、前記緩衝部材は梱包構造体の内部底面と主製品との間に緩衝空間を確保する為の保持部材であって、前記保持部材の支持面４辺から底面方向に突出する足形状の先端に於いて、前記足形状先端部から梱包構造体の内部底面と保持部材の支持面との間の緩衝空間に突出する面を形成することを特徴とする。
【発明の効果】
【０００７】
本発明に係る梱包構造によれば、緩衝空間を確保し、落下衝撃に対し適切な緩衝作用を得ることが出来る。
【図面の簡単な説明】
【０００８】
【図１】本発明の実施例を示す梱包構成の分解斜視図
【図２】本発明の実施例を示す緩衝空間を確保する保持部材の斜視図
【図３】本発明の実施例を示す図２の裏面斜視図
【図４】本発明の実施例を示す緩衝空間を確保する保持部材の展開図
【図５】本発明の実施例を示す梱包構成の断面図
【図６】本発明の実施例を示す個装箱底部の断面図
【図７】本発明の実施例を示す個装箱の展開図
【図８】本発明の実施例を示す個装箱の底部斜視図
【図９】本発明の実施例を示す個装箱の斜視図
【発明を実施するための形態】
【０００９】
以下に、本発明の好ましい実施の形態を、添付の図面に基づいて詳細に説明する。本発明の実施形態を図１から図９を用いて説明する。
【００１０】
図１は本発明の梱包形態である梱包構成を示した分解斜視図である。個装箱１０１に底部保持部材１０２、製品底部保持トレー１０３、製品本体１０４、製品上部保持トレー１０５の順で収めることが出来、この構成に於いて組み立てられた個装箱に対して落下による衝撃等による損傷について製品を守る為の構成となっている。尚、本構成では同梱物を製品本体１０４のみとしているが、製品本体に電源供給するバッテリーや充電器、ケーブルやその他については不図示とする。
【００１１】
個装箱１０１は主にダンボール素材を使用し箱形状を形成しており、底面構造はワンタッチ式底貼り箱（又はボトムロック式と呼ばれている）を採用している。
【００１２】
底部保持部材１０２は個装箱１０１の底面又はその稜線部や角部に対しての落下時に製品本体１０４等の同梱品への衝撃や損傷を軽減する緩衝空間を保持する為の部品で、本発明では段ボールを素材としている。
【００１３】
製品底部保持トレー１０３及び製品上部保持トレー１０５は個装箱１０１の内部で製品本体１０４を直接保持する部品で、本発明では個装箱１０１の側面方向からの衝撃や損傷を軽減する緩衝空間を保持する為の部品でもあり、本発明では樹脂材を素材として想定しており、たとえばＰＰ（ポリプロピレン）やＰＥＴ（ポリエチレン  テレフタレート）、またその他の素材でも使用可能である。
【００１４】
尚、個装箱底稜線部１０６、個装箱底角部１０７は本発明の効果を発揮する落下時の損傷部位を指示しており、同様の効果を発揮する損傷部位として対角位置である図９で示す個装箱低稜線部１９１、個装箱底角部１９２になる。
【００１５】
図２は本発明の実施例を示す緩衝空間を確保する底部保持部材１０２の斜視図である。支持面１１１は製品底部保持トレー１０３を支える面であり、４方向の端面から個装箱１０１の内壁面に沿って底面方向に略垂直に伸びる足形状部１１２ａ、足形状部１１２ｂと足形状部１１３ａ、足形状部１１３ｂが構成されており、これによって支持面１１１の底面側に対して緩衝空間を確保している。
【００１６】
図３は本発明の実施例を示す緩衝空間を確保する底部保持部材１０２の裏面からの斜視図である。支持面１２１の４方向の端面の長辺から個装箱１０１の内壁面に沿って底面方向に略垂直に伸びる足形状部１２２ａ、足形状部１２２ｂと、個装箱１０１の内部底面に接する足接地面１２４ａ、足接地面１２４ｂで構成されており、支持面１２１の４方向の端面の短辺から個装箱１０１の内壁面に沿って底面方向に略垂直に伸びる足形状部１２３ａ、足形状部１２３ｂと、個装箱１０１の内部底面に接する足接地面１２５ａ、足接地面１２５ｂと、緩衝空間側に突出する足突出面１２６ａ、足突出面１２６ｂを構成する。
【００１７】
足突出面１２６ａ、足突出面１２６ｂは折り曲げ部１２７ａ、折り曲げ部１２７ｂから曲げられ、足接地面１２５ａ、足接地面１２５ｂより支持面１２１側で緩衝空間側に突出し、引っ掛け部１２８ａ、引っ掛け部１２８ｂの段差によって曲げた形状を維持し易くする。
【００１８】
足突出面１２６ａ、足突出面１２６ｂは個装箱１０１の内部底面のフラップの上に乗せる事で、個装箱底稜線部１０６、個装箱底角部１０７や対角位置であり図９で図示している個装箱低稜線部１９１、個装箱底角部１９２に対しての衝撃時の変形によって起こる緩衝作用でフラップ段差での引っ掛かりを避ける事で正しい変形が成され緩衝性能を得ることが可能になる。
【００１９】
図４は本発明の実施例を示す緩衝空間を確保する底部保持部材１０２の緩衝空間を確保する保持部材の展開図である。支持面１３１の４方向の位置にスジ押し用の罫線として折れ線１３２ａ、折れ線１３２ｂ、折れ線１３２ｃ、折れ線１３２ｄを付けて折れ易くしており、実施例の仕上がり形状としては足形状部１３３ａ、足形状部１３３ｂ、足形状部１３３ｃ、足形状部１３３ｄは端部が紙面表側方向に折り曲げて使用される。
【００２０】
スジ押し用の罫線では足形状部１３３ａと足形状部１３３ｃに折れ線１３４ａ、折れ線１３４ｂを設けて足突出面１３５ａ、足突出面１３５ｂを折り易くしており、実施例の仕上がり形状としては端部が紙面表側方向に折り曲げて使用される。
【００２１】
折れ線１３４ａ、折れ線１３４ｂは足形状部１３３ａ、足形状部１３３ｃの端部から段差１３６ａ、段差１３６ｂを設けており、且つ切り込み線１３７ａ、切り込み線１３７ｂも設けている。これによって図３で説明した引っ掛け部１２８ａ、引っ掛け部１２８ｂの段差によって、足突出面１３５ａ、足突出面１３５ｂの板厚端面が曲げた際に足形状部１３３ａ、足形状部１３３ｂの面に乗り上げる事で引っ掛かり、曲げ形状を維持し易くする事が可能となる。
【００２２】
図５は本発明の実施例を示す梱包構成に於ける断面図であり、断面位置は図９で示すＡ−Ａと同位置を示す図２で示すＡａ−Ａａである。個装箱１４１の内部には図１で示した構成物が梱包配置されており、底面から順に底部保持部材１４２、製品底部保持トレー１４３、製品本体１４４、製品本体保持トレー１４５が重なっている。
【００２３】
製品底部保持トレー１４３は底面部に対しての緩衝空間１４６を確保する為に個装箱１４１の側壁４面の内面に沿って４箇所の足形状部１４７の部材で空間を支えており、足形状部１４７から形成した足突出面１４８は内部底面のフラップの上に乗り上げ、緩衝空間方向に収まる。
【００２４】
この様に製品を支え底面に配置した製品底部保持トレー１４３は個装箱１４１の底部からの衝撃を緩衝空間１４６によって製品本体１４４に対して減衰させることが可能となる。
【００２５】
図６は本発明の実施例を示す個装箱底部に於ける断面図であり、断面位置は図５で示すＢ−Ｂである。個装箱１６１の内部側面で短辺側に接している底部保持部材の足形状部１６２ａ、足形状部１６２ｃから緩衝空間側に突出する足突出面１６３ａ、足突出面１６３ｂが対角位置で配置され、一方の内部側面で長辺側に接している底部保持部材の足形状部１６２ｂと足形状部１６２ｄが対向して配置されている。
【００２６】
一方、個装箱１６１の底面構造はワンタッチ式底貼り箱（又はボトムロック式と呼ばれている）である為、内部底面は底部長辺フラップ１６４ａと対抗し互いにクロス状に噛み合う底部長辺フラップ１６４ｂと、底部長辺フラップ１６４ａと接着され紙面裏側で重なっている底部短辺フラップ１６４ｄと、底部長辺フラップ１６４ｂと接着され紙面裏側で重なっている底部短辺フラップ１６４ｃで構成されている。
【００２７】
本発明の個装箱底部構造では、フラップ稜線１６５ａ及びフラップ稜線１６５ｂが底部短辺フラップ１６４ｄ及び底部短辺フラップ１６４ｃより紙面表側にあり、フラップ逃げ角１６６ａ及びフラップ逃げ角１６６ｂを端面とし個装箱１６１の角に向かって伸びており、その角近傍で足突出面１６３ａ及び足突出面１６３ｂがフラップ稜線１６５ａ及びフラップ稜線１６５ｂの紙面表側に配置されている。
【００２８】
この様に底部保持部材から構成され緩衝空間を保つ為の足形状部１６２ａ、足形状部１６２ｃは、例えば個装箱底稜線部１０６、個装箱底角部１０７や対角位置であり図９で図示している個装箱低稜線部１９１、個装箱底角部１９２等からの衝撃によって損傷した場合であっても、段差になっているフラップ稜線１６５ａやフラップ稜線１６５ｂの紙面表側に配置されている足突出面１６３ａや足突出面１６３ｂよって、引っ掛かることなく緩衝空間側に適切に変形し緩衝作用を得ることが可能となる。
【００２９】
図７は本発明の実施例を示す個装箱に於ける展開図であり、本発明の底面構成を解説する図である。正面１７１の短辺側端面に紙面表側に糊貼り部１７２を配置し、この位置と合わさる箇所として左側面１７８の短辺端部で紙面裏側の糊貼り部１８０になり、折り線１８２と折り線１８６で紙面表側を山にして折ることで糊貼り部は接合される。尚、折り線１８４は今回の底フラップの組み立て及び貼り合わせに於いては折る事は無いが個装箱形状にする場合は紙面表側を山にして折り込み使用する。
【００３０】
正面１７１の底面側から延長した位置に底面フラップ１７３があり折り線１８１は紙面表側を山にして折り、紙面裏側の糊貼り部１７３ａと紙面表側の底面フラップ１７５が右側面１７４との折り線１８３は紙面表側を山にして折り、折り線１８１と折り線１８２も折る事で糊貼り部は接合される。
【００３１】
裏面１７６の底面側から延長した位置に底面フラップ１７７があり折り線１８５は紙面表側を山にして折り、紙面裏側の糊貼り部１７７ａと紙面表側の底面フラップ１７９が左側面１７８との折り線１８７は紙面表側を山にして折り、折り線１８５と折り線１８６も折る事で糊貼り部は接合される。
【００３２】
この様に、底面構造はワンタッチ式底貼り箱（又はボトムロック式と呼ばれている）の場合は、個装箱の底面構成として展開形状の底フラップから折り込みと貼り合せを組み合わせて構成され、使用状態の個装箱として組み立てた際には図６の様な底フラップの組み合わせになる。
【００３３】
図８は本発明の実施例を示す個装箱の底部斜視図で、ここでは図７で使用した符号を引用する。正面１７１から接続し底面フラップを構成する底面フラップ１７３は裏面の糊貼り部１７３ａによって右側面１７４から接続し底面フラップを構成する底面フラップ１７５と接合され、裏面１７６から接続し底面フラップを構成する底面フラップ１７７は裏面の糊貼り部１７７ａによって左側面１７８から接続し底面フラップを構成する底面フラップ１７９と接合され、正面１７１から接続する糊貼り部１７２は左側面１７８の裏面にある糊貼り部１８０と接合し、個装箱として底面外観が構成される。
【００３４】
図９は本発明の実施例を示す個装箱の斜視図であり、図１で示した個装箱底稜線部１０６と個装箱底角部１０７の対角位置である個装箱低稜線部１９１と個装箱底角部１９２は、本発明の効果を発揮する落下時の損傷部位を指示している。
【００３５】
以上、本発明の好ましい実施形態について説明したが、個装箱で底面構造はワンタッチ式底貼り箱（又はボトムロック式と呼ばれている）の場合で、底面の角や稜線に対しての衝撃による損傷に対し、緩衝空間を保つ為の部材を支える足部の引っ掛かりを無くすことで適切な緩衝作用を得る事を目的としたものであり、本発明はこれらの実施形態に限定されず、その要旨の範囲内で種々の変形及び変更が可能である。
【符号の説明】
【００３６】
１０１  個装箱、１０２  底部保持部材、１０３  製品底部保持トレー、
１０４  製品本体、１０５  製品上部保持トレー、１０６  個装箱底稜線部、
１０７  個装箱底角部
【図１】
2020045156.tif 000003
【図２】
2020045156.tif 000004
【図３】
2020045156.tif 000005
【図４】
2020045156.tif 000006
【図５】
2020045156.tif 000007
【図６】
2020045156.tif 000008
【図７】
2020045156.tif 000009
【図８】
2020045156.tif 000010
【図９】
2020045156.tif 000011